(57)【要約】【課題】簡易な構造で、容易にシート材をフレーム材に張った状態で取り付けることができ、かつ、その状態を維持できるようにした椅子の背もたれ構造を提供すること。【解決手段】フレーム材５にシート材６を張設したものからなり、フレーム材５を、背もたれ支持体３に取り付けられる環状の後フレーム５１と、この後フレーム５１の前面に、シート材６を張設した状態で取り付けられる、後フレーム５１と略同形状の環状の前フレーム５２とで構成し、前フレーム５２を、環状の一辺を部分的に欠いた形状の第１前フレーム片５２ａと、第１前フレーム片５２ａの欠いた部分に中心側から嵌め込んで前フレーム５２を形成する第２前フレーム片５２ｂとで構成し、かつ、無負荷状態の第１前フレーム片５２ａの欠いた部分の辺方向の寸法Ｌ１１、Ｌ１２より第２前フレーム片５２ｂの辺方向の寸法Ｌ２１、Ｌ２２を大きく形成するようにする。【選択図】図３
2018078922.tif 000002
【特許請求の範囲】
【請求項１】
フレーム材にシート材を張設した椅子の背もたれ構造において、前記フレーム材を、背もたれ支持体に取り付けられる環状の後フレームと、該後フレームの前面に、シート材を張設した状態で取り付けられる、後フレームと略同形状の環状の前フレームとで構成し、前フレームを、環状の一辺を部分的に欠いた形状の第１前フレーム片と、該第１前フレーム片の欠いた部分に中心側から嵌め込んで前フレームを形成する第２前フレーム片とで構成し、かつ、無負荷状態の第１前フレーム片の欠いた部分の辺方向の寸法より第２前フレーム片の辺方向の寸法を大きく形成するようにしたことを特徴とする椅子の背もたれ構造。
【請求項２】
前記第１前フレーム片の欠いた部分及び第２前フレーム片が、略台形状をしてなることを特徴とする請求項１に記載の椅子の背もたれ構造。
【請求項３】
前記シート材の周縁部を、第１前フレーム片及び第２前フレーム片に、それぞれシート材固定片を介して、取り付けるようにしたことを特徴とする請求項１又は２に記載の椅子の背もたれ構造。
【発明の詳細な説明】
【技術分野】
【０００１】
本発明は、事務用に好適に用いられる椅子に関し、特に、その背もたれ構造に関するものである。
【背景技術】
【０００２】
椅子において、背もたれを、フレーム材にメッシュ素材（ネット素材）等からなる可撓性を備えたシート材（本明細書において、単に、「シート材」という。）を張設した構造にすることは広く行われている。
【０００３】
そして、シート材をフレーム材に張った状態で取り付ける方法の一つとして、例えば、シート材の周縁に縁部材を縫着等で固定しておいて、この縁部材をフレーム材の外周に形成した溝条に嵌め込む方式が採用されている（例えば、特許文献１参照。）。
この方式の場合、シート材をフレーム材への取り付けを簡単に行える利点がある反面、シート材をフレーム材に張った状態で取り付けるために強い力を必要としたり、フレーム材に取り付けたシート材が弛んだ状態になりやすいという問題があった。
【０００４】
一方、この問題に対処するものとして、フレーム材の一部を構成する縁部材を回動させることで、シート材に張力を付与するようにすることも提案されている（特許文献２参照。）。
この方式の場合、上記問題点を解消できる反面、構造が複雑になるという問題があった。
【先行技術文献】
【特許文献】
【０００５】
【特許文献１】特開２００６−１１００００号公報
【特許文献２】特開２０１３−２４４２５３号公報
【発明の概要】
【発明が解決しようとする課題】
【０００６】
本発明は、上記従来のフレーム材にシート材を張設した背もたれを備えた椅子の有する問題点に鑑み、簡易な構造で、容易にシート材をフレーム材に張った状態で取り付けることができ、かつ、その状態を維持できるようにした椅子の背もたれ構造を提供することを目的とする。
【課題を解決するための手段】
【０００７】
上記目的を達成するため、本発明の椅子の背もたれ構造は、フレーム材にシート材を張設した椅子の背もたれ構造において、前記フレーム材を、背もたれ支持体に取り付けられる環状の後フレームと、該後フレームの前面に、シート材を張設した状態で取り付けられる、後フレームと略同形状の環状の前フレームとで構成し、前フレームを、環状の一辺を部分的に欠いた形状の第１前フレーム片と、該第１前フレーム片の欠いた部分に中心側から嵌め込んで前フレームを形成する第２前フレーム片とで構成し、かつ、無負荷状態の第１前フレーム片の欠いた部分の辺方向の寸法より第２前フレーム片の辺方向の寸法を大きく形成するようにすることができる。
【０００８】
また、前記第１前フレーム片の欠いた部分及び第２前フレーム片が、略台形状をしてなるようにすることができる。
【０００９】
また、前記シート材の周縁部を、第１前フレーム片及び第２前フレーム片に、それぞれシート材固定片を介して、取り付けるようにすることができる。
【発明の効果】
【００１０】
本発明の椅子の背もたれ構造によれば、フレーム材にシート材を張設した椅子の背もたれ構造において、前記フレーム材を、背もたれ支持体に取り付けられる環状の後フレームと、該後フレームの前面に、シート材を張設した状態で取り付けられる、後フレームと略同形状の環状の前フレームとで構成し、前フレームを、環状の一辺を部分的に欠いた形状の第１前フレーム片と、該第１前フレーム片の欠いた部分に中心側から嵌め込んで前フレームを形成する第２前フレーム片とで構成し、かつ、無負荷状態の第１前フレーム片の欠いた部分の辺方向の寸法より第２前フレーム片の辺方向の寸法を大きく形成するようにすることにより、分離した状態で無負荷状態の第１前フレーム片及び第２前フレーム片にシート材を仮張りし、この状態で、第１前フレーム片の欠いた部分に第２前フレーム片を中心側から嵌め込んで前フレームを形成することにより、シート材は、第１前フレーム片の欠いた部分が拡げられる方向及び第２前フレーム片が中心側から外周側に移行する方向の張力を受けることによって、簡易な構造で、容易にシート材をフレーム材に張った状態で取り付けることができ、かつ、その状態を維持できる。
【００１１】
また、前記第１前フレーム片の欠いた部分及び第２前フレーム片が、略台形状をしてなるようにすることにより、第１前フレーム片の欠いた部分に第２前フレーム片を中心側から円滑に嵌め込んで前フレームを形成することができる。
【００１２】
また、前記シート材の周縁部を、第１前フレーム片及び第２前フレーム片に、それぞれシート材固定片を介して、取り付けるようにすることにより、シート材の第１前フレーム片及び第２前フレーム片に簡易かつ確実に取り付けることができる。
【図面の簡単な説明】
【００１３】
【図１】本発明の椅子の背もたれ構造を適用した椅子の一実施例を示し、（ａ）は正面図、（ｂ）は背面図、（ｃ）は右側面図である。
【図２】同椅子の背もたれ支持体及び背もたれを示す左側から見た縦断面図である。
【図３】同椅子の背もたれ構造を示す分解斜視図である。
【図４】同椅子の背もたれの前フレームを示し、（ａ）は分解した状態の背面図、（ｂ）は組み立てた状態の背面図である。
【図５】同椅子の背もたれの前フレームを示し、（ａ）は組み立てた状態の正面図、（ｂ）は組み立てた状態（シート材あり）の背面図である。
【図６】同椅子の背もたれを示し、（ａ）は前フレームの背面側から見た斜視図、（ｂ）は後フレームの前面側から見た斜視図である。
【発明を実施するための形態】
【００１４】
以下、本発明の椅子の背もたれ構造の実施の形態を、図面に基づいて説明する。
【００１５】
図１〜図６に、本発明の椅子の背もたれ構造を適用した椅子の一実施例を示す。
この椅子１は、事務用に好適に用いられるもので、椅子本体２から延設した背もたれ支持体３に対して、背もたれ４を昇降可能に取り付けるようにしている。
【００１６】
ところで、背もたれ４は、フレーム材５にシート材６を張設したものからなり、フレーム材５を、背もたれ支持体３に取り付けられる環状の後フレーム５１と、この後フレーム５１の前面に、シート材６を張設した状態で取り付けられる、後フレームと略同形状の環状の前フレーム５２とで構成し、前フレーム５２を、環状の一辺を部分的に欠いた形状の第１前フレーム片５２ａと、第１前フレーム片５２ａの欠いた部分に中心側から嵌め込んで前フレーム５２を形成する第２前フレーム片５２ｂとで構成し、かつ、無負荷状態の第１前フレーム片５２ａの欠いた部分の辺方向の寸法Ｌ１１、Ｌ１２より第２前フレーム片５２ｂの辺方向の寸法Ｌ２１、Ｌ２２を大きく形成するようにするようにしている。
【００１７】
なお、本実施例においては、第１前フレーム片５２ａの欠いた部分を、前フレーム５２の下辺に設定するようにしたが、他の箇所、例えば、上辺に設定することもできる。
【００１８】
そして、第１前フレーム片５２ａの欠いた部分及び第２前フレーム片５２ｂが、略台形状をしてなるようにすることができる。
ここで、無負荷状態の第１前フレーム片５２ａの欠いた部分の辺方向の寸法Ｌ１１、Ｌ１２より第２前フレーム片５２ｂの辺方向の寸法Ｌ２１、Ｌ２２を、それぞれ２０〜７０ｍｍ程度、好ましくは、３０〜５０ｍｍ大きく形成するようにすることができる。
また、第１前フレーム片５２ａの欠いた部分と第２前フレーム片５２ｂの接触面は、ガイドレール等の摺動面として構成することができる。
これにより、第１前フレーム片５２ａの欠いた部分に第２前フレーム片５２ｂを中心側から円滑に嵌め込んで前フレームを形成することができる。
【００１９】
また、シート材６を前フレーム５２の第１前フレーム片５２ａ及び第２前フレーム片５２ｂに取り付けるに当たって、シート材６の周縁部を、第１前フレーム片５２ａ及び第２前フレーム片５２ｂに、それぞれシート材固定片５３ａ、５３ｂ、５３ｃ及びシート材固定片５３ｄを介して、取り付けるようにしている。
ここで、シート材６の周縁部の所定箇所に、シート材固定片５３ａ、５３ｂ、５３ｃ及びシート材固定片５３ｄを固定するために、縫着、ステープル、接着等の任意の固着手段を用いることができる。
これにより、シート材６の第１前フレーム片５２ａ及び第２前フレーム片５２ｂに簡易かつ確実に取り付けることができる。
【００２０】
ここで、後フレーム５１と前フレーム５２、第１前フレーム片５２ａと第２前フレーム片５２ｂ、第１前フレーム片５２ａ及び第２前フレーム片５２ｂとシート材固定片５３ａ、５３ｂ、５３ｃ及びシート材固定片５３ｄの取り付けは、係止爪同士、係止爪と係止穴の組み合わせ等の任意の嵌着構造を採用することができる。
【００２１】
次に、この椅子の背もたれの組み立て方法について説明する。
まず、分離した状態で無負荷状態の第１前フレーム片５２ａ及び第２前フレーム片５２ｂに、周縁部の所定箇所にシート材固定片５３ａ、５３ｂ、５３ｃ及びシート材固定片５３ｄを固定したシート材６を仮張りする。なお、この状態では、シート材６は、弛まないようにする必要があるが、張力を付与しない。
この状態で、第１前フレーム片５２ａの欠いた部分に第２前フレーム片５２ｂを中心側から嵌め込んで前フレーム５２を形成することにより、シート材６が、第１前フレーム片５２ａの欠いた部分が拡げられる方向及び第２前フレーム片５２ｂが中心側から外周側に移行する方向の張力を受けることによって、簡易な構造で、容易にシート材６を前フレーム５２に張った状態で取り付けることができ、かつ、その状態を維持できる。
このようにして、シート材６を張設した前フレーム５２を、後フレーム５１の前面に取り付けることによって、背もたれ４を形成することができる。
この場合、後フレーム５１は、剛性を有する構造体で構成されているため、前フレーム５２を後フレーム５１の前面に嵌着することによって、前フレーム５２の形状を、シート材６に最終の張力が加わるように維持するようにする。
【００２２】
以上、本発明の椅子の背もたれ構造について、その実施例に基づいて説明したが、本発明は上記実施例に記載した構成に限定されるものではなく、その趣旨を逸脱しない範囲において適宜その構成を変更することができるものである。
【産業上の利用可能性】
【００２３】
本発明の椅子の背もたれ構造は、簡易な構造で、容易にシート材をフレーム材に張った状態で取り付けることができ、かつ、その状態を維持できることから、事務用の椅子の用途に好適に用いることができるほか、広く各種の椅子の用途に用いることができる。
【符号の説明】
【００２４】
１  椅子
２  椅子本体
３  背もたれ支持体
４  背もたれ
５  フレーム材
６  シート材
５１  後フレーム
５２  前フレーム
５２ａ  第１前フレーム片
５２ｂ  第２前フレーム片
５３ａ、５３ｂ、５３ｃ、５３ｄ  シート材固定片
【図１】
2018078922.tif 000003
【図２】
2018078922.tif 000004
【図３】
2018078922.tif 000005
【図４】
2018078922.tif 000006
【図５】
2018078922.tif 000007
【図６】
2018078922.tif 000008